(57)【要約】【課題】作業者が尿素水タンクに尿素水を給水している際に尿素水タンク内の尿素水量が所定量を超えたことを容易に確認することができる建設機械を提供する。【解決手段】建設機械は、尿素水を貯留する尿素水タンク３２と、尿素水タンク３２内の尿素水量を検出する尿素水量検出手段３２ｂと、尿素水タンク３２に尿素水を給水する作業者に警告を発する警告手段と、尿素水量検出手段３２ｂ及び該警告手段に接続されたコントローラ３６とを備えている。コントローラ３６は尿素水タンク３２内の尿素水量が所定量を超えたことが尿素水量検出手段３２ｂによって検出されると該警告手段を作動させる。該警告手段は、発光手段又は／及び警音を発する警音手段から構成されている。【選択図】図４
2016125462.tif 000002
【特許請求の範囲】
【請求項１】
尿素水を貯留する尿素水タンクと、該尿素水タンク内の尿素水量を検出する検出手段と、該尿素水タンクに尿素水を給水する作業者に警告を発する警告手段と、該検出手段及び該警告手段に接続されたコントローラとを備え、
該コントローラは該尿素水タンク内の尿素水量が所定量を超えたことが該検出手段によって検出されると該警告手段を作動させる、ことを特徴とする建設機械。
【請求項２】
該警告手段は発光手段から構成されている、請求項１記載の建設機械。
【請求項３】
該コントローラは該尿素水タンク内の尿素水量が該所定量を超えたことが該検出手段によって検出されると該発光手段を点灯させる、請求項２記載の建設機械。
【請求項４】
該コントローラは該尿素水タンク内の尿素水量が増加していることが該検出手段によって検出されると該発光手段を点滅させる、請求項２又は３記載の建設機械。
【請求項５】
該警告手段は警音を発する警音手段から構成されている、請求項１記載の建設機械。
【請求項６】
該コントローラは該尿素水タンク内の尿素水量が該所定量を超えたことが該検出手段によって検出されると該警音手段を連続的に鳴動させる、請求項５記載の建設機械。
【請求項７】
該コントローラは該尿素水タンク内の尿素水量が増加していることが該検出手段によって検出されると該警音手段を断続的に鳴動させる、請求項５又は６記載の建設機械。
【請求項８】
該警告手段は発光手段及び警音を発する警音手段から構成されている、請求項１記載の建設機械。
【請求項９】
該コントローラは該尿素水タンク内の尿素水量が増加していることが該検出手段によって検出されると該発光手段を点滅させ、且つ該尿素水タンク内の尿素水量が該所定量を超えたことが該検出手段によって検出されると該警音手段を鳴動させる、請求項８記載の建設機械。
【請求項１０】
該コントローラは該尿素水タンク内の尿素水量が増加していることが該検出手段によって検出されると該警音手段を断続的に鳴動させ、且つ該尿素水タンク内の尿素水量が該所定量を超えたことが該検出手段によって検出されると該発光手段を点灯又は点滅させる、請求項８記載の建設機械。
【請求項１１】
該コントローラは該検出手段によって検出された該尿素水タンク内の尿素水量に応じて該発光手段の点滅間隔を変更する、請求項４又は９記載の建設機械。
【請求項１２】
該コントローラは該検出手段によって検出された該尿素水タンク内の尿素水量に応じて該警音手段の鳴動間隔を変更する、請求項７又は１０記載の建設機械。
【発明の詳細な説明】
【技術分野】
【０００１】
本発明は、窒素酸化物の還元剤としての尿素水を貯留する尿素水タンクを備えた建設機械に関する。
【背景技術】
【０００２】
建設車両、バス及びトラック等の車両には、駆動源としてディーゼルエンジンが多く用いられている。このディーゼルエンジンの排気ガス中には窒素酸化物（ＮＯｘ）等が多く含まれており、ディーゼルエンジンを搭載する車両の多くは排出ガス規制の対象となっている。このため、ディーゼルエンジンを搭載する車両については、排気ガス中の窒素酸化物量を低減することが要求されている。
【０００３】
排気ガス中の窒素酸化物量を低減するための技術として、尿素ＳＣＲ（Selective  Catalytic  Reduction）システムが知られている。尿素ＳＣＲシステムは、排気ガス中の窒素酸化物と尿素水とを還元反応させることによって、排気ガス中の窒素酸化物量を低減するものである。還元剤としての尿素水は、車両に搭載された尿素水タンクに貯留されており、尿素水吸引ポンプにより吸引され、エンジンの排気路に接続された噴射手段から排気路内に噴射される。
【０００４】
尿素水タンクへの尿素水の給水は、給水停止機能を有する尿素水給水機や汎用の容器等が使用されて行われる。尿素水給水機が使用されて給水が行われる場合には、その給水停止機能により尿素水タンク内の尿素水量が所定量を超えると給水が停止される。一方、建設現場等の尿素水給水機が設置されていない場所において、汎用の容器等が使用されて給水が行われる場合には、尿素水タンク内の尿素水量が所定量を超えた時に作業者自身が給水を停止する必要がある。このため、尿素水タンクの外部には、尿素水タンク内の尿素水量を作業者が目視確認することができるようにすべく、尿素水タンク内と連通した管状ゲージが配設されていることがある（例えば、特許文献１参照。）。
【先行技術文献】
【特許文献】
【０００５】
【特許文献１】特開２０１２−１５４１５０号公報
【発明の概要】
【発明が解決しようとする課題】
【０００６】
しかしながら、尿素水は燃料と比較して所要量が少ないことから、通常、尿素水タンクは燃料タンクよりも小さく形成されており、このため車両における尿素水タンクの配設箇所によってはゲージを視認することが困難となってしまう場合がある。この場合、作業者は、尿素水タンク内の尿素水量が所定量を超えたことを確認することができず、尿素水タンクから尿素水を溢れさせてしまうおそれがある。
【０００７】
本発明は上記事実に鑑みてなされたものであり、その主たる技術的課題は、尿素水タンクの配設箇所によらず、作業者が尿素水タンクに尿素水を給水している際に尿素水タンク内の尿素水量が所定量を超えたことを容易に確認することができる建設機械を提供することである。
【課題を解決するための手段】
【０００８】
本発明によれば、上記技術的課題を解決する建設機械として、尿素水を貯留する尿素水タンクと、該尿素水タンク内の尿素水量を検出する検出手段と、該尿素水タンクに尿素水を給水する作業者に警告を発する警告手段と、該検出手段及び該警告手段に接続されたコントローラとを備え、該コントローラは該尿素水タンク内の尿素水量が所定量を超えたことが該検出手段によって検出されると該警告手段を作動させる、ことを特徴とする建設機械が提供される。
【０００９】
好ましくは、該警告手段は発光手段から構成されている。該コントローラは該尿素水タンク内の尿素水量が該所定量を超えたことが該検出手段によって検出されると該発光手段を点灯させるのが好適である。該コントローラは該尿素水タンク内の尿素水量が増加していることが該検出手段によって検出されると該発光手段を点滅させるのが好都合である。好ましくは、該警告手段は警音を発する警音手段から構成されている。該コントローラは該尿素水タンク内の尿素水量が該所定量を超えたことが該検出手段によって検出されると該警音手段を連続的に鳴動させるのが好適である。該コントローラは該尿素水タンク内の尿素水量が増加していることが該検出手段によって検出されると該警音手段を断続的に鳴動させるのが好都合である。好ましくは、該警告手段は発光手段及び警音を発する警音手段から構成されている。該コントローラは該尿素水タンク内の尿素水量が増加していることが該検出手段によって検出されると該発光手段を点滅させ、且つ該尿素水タンク内の尿素水量が該所定量を超えたことが該検出手段によって検出されると該警音手段を鳴動させるのが好適である。該コントローラは該尿素水タンク内の尿素水量が増加していることが該検出手段によって検出されると該警音手段を断続的に鳴動させ、且つ該尿素水タンク内の尿素水量が該所定量を超えたことが該検出手段によって検出されると該発光手段を点灯又は点滅させるのが好都合である。該コントローラは該検出手段によって検出された該尿素水タンク内の尿素水量に応じて該発光手段の点滅間隔を変更するのが好ましい。該コントローラは該検出手段によって検出された該尿素水タンク内の尿素水量に応じて該警音手段の鳴動間隔を変更するのが好適である。
【発明の効果】
【００１０】
本発明によって提供される建設機械においては、コントローラは尿素水タンク内の尿素水量が所定量を超えたことが検出手段によって検出されると警告手段を作動させることから、警告手段からの警告によって、作業者は尿素水タンクに尿素水を給水している際に尿素水タンク内の尿素水量が所定量を超えたことを容易に確認することができる。
【図面の簡単な説明】
【００１１】
【図１】本発明に従って構成された油圧ショベルの側面図。
【図２】図１に示す上部旋回体の斜視図。
【図３】図１及び図２に示すキャブの内部の斜視図。
【図４】図１に示す油圧ショベルの構成例を示した図。
【図５】コントローラ、ホーン及びホーンスイッチの接続を示す電気回路図。
【発明を実施するための形態】
【００１２】
以下、本発明に従って構成された建設機械の第１及び第２の実施形態について、代表的な建設機械である油圧ショベルを例に挙げ、添付図面を参照しつつ詳細に説明する。
【００１３】
まず本発明に係る建設機械の第１の実施形態について説明する。図１を参照して、全体を符号２で示す油圧ショベルは、自走可能な下部走行体４と、下部走行体４上に旋回自在に搭載された上部旋回体６と、上部旋回体６に俯仰動自在に接続された作業腕装置８とから大略構成されている。油圧ショベル２は、土砂等の掘削作業時においては、作業腕装置８が俯仰動作され、上部旋回体６が下部走行体４に対し旋回動作されることによって、土砂等の掘削作業を行うことができるようになっている。
【００１４】
作業腕装置８は、上部旋回体６の前側に俯仰動自在に接続されたブーム１０と、ブーム１０の先端側に揺動自在に接続されたアーム１２と、アーム１２の先端側に回動自在に接続された作業具１４と、ブーム１０を俯仰動させる左右一対のブームシリンダ１６，１６（左側のみ図示されている）と、アーム１２を揺動させるアームシリンダ１８と、作業具１４を回動させる作業具シリンダ２０とから大略構成されている。又、ブーム１０の側面中央部には油圧ショベル２の前方を照明するブーム作業灯２２が配設されている。
【００１５】
図１と共に図２を参照して説明する。上部旋回体６は骨組み構造体をなす旋回フレーム２４を備え、旋回フレーム２４には、駆動源をなすディーゼルエンジン２６と、蓄電池収容室２７と、燃料を貯留する燃料タンク２８と、油圧ショベル２の作動に必要な機器や整備の際に使用される工具等が収容されている工具箱３０と、尿素水を貯留する尿素水タンク３２と、運転員が搭乗するキャブ３４と、コントローラ３６（図４参照）等が配設されている。
【００１６】
蓄電池収容室２７には、蓄電池２７ａと、遮断スイッチ（図示されていない）と、作動表示灯２７ｂ（図４参照）等が配設されている。遮断スイッチは、油圧ショベル２の点検等が行われる際に電力供給を遮断するためのスイッチである。遮断スイッチがオフの場合には蓄電池２７ａから各機器への電力供給が遮断され、一方、遮断スイッチがオンの場合には蓄電池２７ａから各機器への電力供給が許容される。但し、遮断スイッチがオフの場合や後述するキースイッチ４９がオフの場合においても、所定の場合には蓄電池２７ａから電力の供給を受けて作動する機器がある。そこで、そのような機器が作動していることが作動表示灯２７ｂの点灯によって示される。
【００１７】
燃料タンク２８は、適宜の鋼材から全体として直方体状に形成され、旋回フレーム２４の右前側に配設されている。燃料タンク２８には、その上面に給油口２８ａが配設されており、その前面には高さ方向中間部に、作業者が点検や整備のため上部旋回体６に乗りあがるときの足掛けとなるステップ２８ｂが接合されている。又、燃料タンク２８には燃料量を検出する燃料量検出手段２８ｃ（図４参照）が配設され、燃料量検出手段２８ｃはレベルセンサ等から構成されている。
【００１８】
工具箱３０は、適宜の鋼材から全体として直方体状に且つ上下方向の寸法が燃料タンク２８よりも小さく形成され、燃料タンク２８の前方に配設されている。工具箱３０の上面は、燃料タンク２８のステップ２８ｂよりも低位置であり燃料タンク２８のステップ２８ｂと同様に作業者の足掛けとなると共に、ヒンジを介して開閉自在な蓋部３０ａとして形成されている。工具箱３０の前面には開口３０ｂが形成され、開口３０ｂに面して工具箱３０内には油圧ショベル２の前方を照明する旋回体作業灯３８が収容されている。
【００１９】
尿素水タンク３２は、適宜の樹脂材料又は比較的耐食性の高い鋼材、例えばステンレス鋼等、から全体として直方体状に且つ燃料タンク２８及び工具箱３０よりも小さく形成され、工具箱３０内に収容されている。尿素水タンク３２の上面は、実質上水平に延在する水平面と、この水平面から前方に向かって下方に傾斜して延在する傾斜面とを有し、傾斜面には給水口３２ａが配設されている。又、尿素水タンク３２には尿素水量を検出する尿素水量検出手段３２ｂ（図４参照）が配設され、尿素水量検出手段３２ｂはレベルセンサ等から構成されている。そして、尿素水タンク３２は尿素水ポンプ３３（図４参照）に接続されており、尿素水タンク３２内の尿素水は尿素水ポンプ３３により吸引され、エンジン２６の排気路に接続された噴射手段（図示されていない）から排気路内に噴射される。尚、尿素水ポンプ３３は、遮断スイッチがオフの場合や後述するキースイッチ４９がオフの場合においても、蓄電池２７ａから電力供給を受けて作動する場合がある。
【００２０】
キャブ３４は、鋼管から形成された複数の支柱４０と、鋼管から形成され複数の支柱４０間を連結する複数の梁４２とからフレーム構造をなし、周囲側面が窓４４等によって覆われており、旋回フレーム２４の左前側に配設されている。キャブ３４の前面上部には油圧ショベル２の前方を照明する左右一対のキャブ作業灯４６が配設されている。キャブ３４の上面後部には油圧ショベル２が稼働していることを示す稼働表示灯４７が配設されている。尚、本明細書の説明で用いられている前後方向及び左右方向は、図１及び図２に示すキャブ３４内に搭乗した運転員から見た前後方向及び左右方向である。
【００２１】
図３を参照して説明する。キャブ３４内には、運転員が着座する座席４８と、エンジン２６の稼働及び停止、並びに蓄電池２７ａから各機器への電力供給を許容及び遮断するキースイッチ４９と、ブームシリンダ１６等の油圧アクチュエータを作動させるための信号を出力する複数個の操作器５０と、運転員に必要な機械情報等を表示する表示器５２と、キャブ３４内を照明する室内灯５３（図４参照）と、少なくとも１個のスイッチが配設されたスイッチパネル５４等が配設されている。キースイッチ４９は、例えば周知のメカニカルキースイッチから構成されることができ、オフの場合にはエンジン２６が停止すると共に蓄電池２７ａから各機器への電力供給が遮断され、オフからオンに回動されると蓄電池２７ａから各機器への電力供給が許容され、更にオンからスタートに回動されるとエンジン２６が稼働される、如くのものである。操作器５０の１個、本実施形態においては座席４８の左側に位置する操作器５０、の上面にはホーン５６（図４参照）を鳴動させるための信号を出力するホーンスイッチ５０ａが配設されている。ホーン５６は、油圧ショベル２の周囲に警音を発するものであり、作業者がエンジン２６を始動させる際等に油圧ショベル２の周囲にいる他の作業者に注意喚起を行う場合等に使用されるものである。又、操作器５０、例えば座席４８の前方に位置する一対の操作器５０、が操作されると下部走行体４によって油圧ショベル２を走行させるための信号が出力されると共に、走行アラーム５８（図４参照）を鳴動させるための信号が出力される。走行アラーム５８は、油圧ショベル２の周囲に警音を発するものであり、油圧ショベル２が走行していることを油圧ショベル２の周囲にいる他の作業者に報知するためのものである。
【００２２】
表示器５２には座席４８に着座した運転員から視認することができる位置に画面５２ａが配設され、画面５２ａには燃料タンク２８内の燃料量や尿素水タンク３２内の尿素水量等の機械情報画像等が表示される。又、表示器５２には画面５２ａの下部に複数個の入力手段５２ｂが配設され、画面５２ａに表示された画像は入力手段５２ｂからの入力に応じて変化すると共にコントローラ３６からの信号等によっても変化するようになっている。更に、表示器５２には、警音を発するブザー５２ｃ（図４参照）が内蔵されている。ブザー５２ｃは、運転員に各種機器が異常状態であることや所定の部品が交換時間を経過していること等を報知するためのものである。スイッチパネル５４には、ブーム作業灯２２、旋回体作業灯３８及びキャブ作業灯４６を点灯又は消灯させるための信号を出力する作業灯スイッチ５４ａと、室内灯５３を点灯又は消灯させるための信号を出力する室内灯スイッチ５４ｂ等が配設されている。尚、入力手段５２ｂ、作業灯スイッチ５４ａ及び室内灯スイッチ５４ｂは、本実施形態においては押しボタン式のスイッチから構成されているが、ダイヤル式、シーソー式、タッチパネル式又はこれらの組合せであってもよい。又、ブザー５２ｃは表示器５２内ではなく、キャブ３４内の適宜の箇所に配設されていてもよい。
【００２３】
図４を参照して説明する。コントローラ３６は、周知のマイクロプロセッサやＲＯＭ，ＲＡＭ等を集積したＬＳＩデバイスや組み込み電子デバイスとして提供される電子制御装置であり、上部旋回体６の適宜の位置に配設されている。コントローラ３６は、キャブ３４内に配設されたキースイッチ４９、操作器５０、表示器５２及びスイッチパネル５４に電気的に接続されていると共に、燃料量検出手段２８ｃ、尿素水量検出手段３２ｂ、尿素水ポンプ３３、作動表示灯２７ｂ、稼働表示灯４７、ブーム作業灯２２、旋回体作業灯３８、キャブ作業灯４６、室内灯５４、ホーン５６及び走行アラーム５８等に電気的に接続されている。
【００２４】
そして、コントローラ３６は、キースイッチ４９が操作されることによってエンジン２６が稼働されると稼働表示灯４７を点灯させ、尿素水ポンプ３３が作動していることを検知すると作動表示灯２７ｂを点灯させ、作業灯スイッチ５４ａから各作業灯２２，３８，４６を点灯又は消灯させるための信号が出力されると各作業灯２２，３８，４６を点灯又は消灯させ、室内灯スイッチ５４ｂから室内灯５３を点灯又は消灯させるための信号が出力されると室内灯５３を点灯又は消灯させる。又、コントローラ３６は、操作器５０のホーンスイッチ５０ａからホーン５６を鳴動させるための信号が出力されるとホーン５６を鳴動させ、操作器５０から下部走行体４によって油圧ショベル２を走行させるための信号が出力されると走行アラーム５８を鳴動させ、各機器の異常状態等を検知するとブザー５２ｃを鳴動させる。更に、コントローラ３６は、燃料量検出手段２８ｃ及び尿素水量検出手段３２ｂによって検出された燃料量及び尿素水量を表示器５２に出力する。
【００２５】
以上のように構成された油圧ショベル２において、尿素水タンク３２に尿素水が給水され、尿素水タンク３２内の尿素水量が増加していることが尿素水量検出手段３２ｂによって検出されると、コントローラ３６は、ブーム作業灯２２、旋回体作業灯３８及びキャブ作業灯４６のうちいずれか一の作業灯又は複数の作業灯を点滅させる。作業灯の点滅間隔は、例えば尿素水タンク３２内の尿素水量が尿素水タンク３２の容量の７０％を超えたことが尿素水量検出手段３２ｂによって検出されると１Ｈｚ、８０％を超えたことが検出されると２Ｈｚ、のように尿素水タンク３２内の尿素水量に応じてコントローラ３６によって変更される。これによって、作業者は尿素水タンク３２に尿素水を給水している際に尿素水タンク３２内のおおよその尿素水量を認識することができる。
【００２６】
又、コントローラ３６は、作業灯を点滅させた後、尿素水タンク３２内の尿素水量が所定量、例えば尿素水タンク３２の容量の９０％、を超えたことが尿素水量検出手段３２ｂによって検出されると、ブーム作業灯２２、旋回体作業灯３８及びキャブ作業灯４６のうちいずれか一の作業灯若しくは複数の作業灯を点灯させ、又はホーン５６を連続的に若しくは断続的に鳴動させる。コントローラ３６が点灯させる作業灯は、上記作業灯のうちいずれかの一の作業灯を点滅させていた場合は、その点滅させた作業灯又は／及びその他の作業灯であり、他方、複数の作業灯を点滅させていた場合は、それらの点滅させた複数の作業灯又は／及びその他の作業灯である。
【００２７】
このように、作業灯が点灯され又はホーン５６が鳴動されることによって、作業者は尿素水タンク３２に尿素水を給水している際に尿素水タンク３２内の尿素水量が所定量を超えたことを容易に確認することができる。この結果、作業者は尿素水タンク３２から尿素水を溢れさせてしまうことがない。そして、コントローラ３６は、尿素水タンク３２内の尿素水量が所定量を超えた後に所定時間変動しないことが尿素水量検出手段３２ｂによって検出されると作業灯を消灯させ、且つホーン５６を鳴動させた場合はホーン５６の鳴動を停止させる。
【００２８】
次に、本発明に係る建設機械の第２の実施形態について説明する。尚、第２の実施形態においては、上述した第１の実施形態と同一の構成要素に同一符号を付し、その説明を省略する。
【００２９】
コントローラ３６は、尿素水タンク３２に尿素水が給水され、尿素水タンク３２内の尿素水量が増加していることが尿素水量検出手段３２ｂによって検出されるとホーン５６を断続的に鳴動させる。ホーン５６の鳴動間隔は、例えば尿素水タンク３２内の尿素水量が尿素水タンク３２の容量の７０％を超えたことが尿素水量検出手段３２ｂによって検出されると１Ｈｚ、８０％を超えたことが検出されると２Ｈｚ、のように尿素水タンク３２内の尿素水量に応じてコントローラ３６によって変更される。これによって、作業者は尿素水タンク３２に尿素水を給水している際に尿素水タンク３２内のおおよその尿素水量を認識することができる。
【００３０】
又、コントローラ３６は、ホーン５６を断続的に鳴動させた後、尿素水タンク３２内の尿素水量が所定量、例えば尿素水タンク３２の容量の９０％、を超えたことが尿素水量検出手段３２ｂによって検出されると、ホーン５６を連続的に鳴動させ、又はブーム作業灯２２、旋回体作業灯３８及びキャブ作業灯４６のうちいずれか一の作業灯若しくは複数の作業灯を点灯若しくは点滅させる。これによって、作業者は尿素水タンク３２に尿素水を給水している際に尿素水タンク３２内の尿素水量が所定量を超えたことを容易に確認することができる。この結果、作業者は尿素水タンク３２から尿素水を溢れさせてしまうことがない。そして、コントローラ３６は、尿素水タンク３２内の尿素水量が所定量を超えた後に所定時間変動しないことが尿素水量検出手段３２ｂによって検出されるとホーン５６の鳴動を停止させ、且つ作業灯を点灯又は点滅させた場合は作業灯を消灯させる。
【００３１】
上述した第１及び第２の実施形態においては、尿素水タンク３２に尿素水を給水する作業者に警告を発する警告手段は、油圧ショベル２の周囲を照明するブーム作業灯２２等の発光手段、又は／及び、作業者がエンジン２６を始動させる際等に油圧ショベル２の周囲にいる他の作業者に注意喚起を行う場合等に使用されるホーン５６、から構成されていることから、上記警告を発する専用の警告手段を要せず、このため製造コストや部品管理の点で有利である。
【００３２】
尚、上述した第１及び第２の実施形態は本発明の例示であり、本発明は上述の実施形態に限定されるものではなく種々の変更が可能である。例えば警告手段としての発光手段については、ブーム作業灯２２、旋回体作業灯３８及びキャブ作業灯４６を例として説明を行ったが、尿素水タンク３２に尿素水を給水している作業者が点灯及び点滅していることを認識することができるものであればよく、尿素水タンク３２の配設箇所に応じて、例えば作動表示灯２７ｂ、稼働表示灯４７又は室内灯５３であってもよい。又、警告手段としての警音手段については、ホーン５６を例として説明を行ったが、尿素水タンク３２に尿素水を給水している作業者が鳴動していることを認識することができるものであればよく、尿素水タンク３２の配設箇所に応じて、ブザー５２ｃ又は走行アラーム５８であってもよい。警告手段として作動表示灯２７ｂ、稼働表示灯４７若しくは室内灯５３、又はブザー５２ｃ若しくは走行アラーム５８が使用される場合、作業灯やホーンが警告手段として使用される場合同様、専用の警告手段を要せず、製造コストや部品管理の点で有利である。尚、上記以外の発光手段や警音手段が警告手段としても使用される場合であってもよく、警告手段を構成するための専用の発光手段や警音手段が配設されていてもよい。
【００３３】
発光手段の点滅の開始又は警音手段の断続的な鳴動の開始については、上述の実施形態においては尿素水タンク３２内の尿素水量が増加していることが尿素水量検出手段３２ｂによって検出されると、コントローラ３６が発光手段の点滅を開始させ、又は警音手段の断続的な鳴動を開始させる構成について説明を行った。しかしながら、作業者が尿素水を給水する際に手動で、例えば表示器５２の入力手段５２ｂやスイッチパネル５４に配設されたスイッチ等を操作することによって、発光手段の点滅を開始させ又は警音手段の断続的な鳴動を開始させる構成であってもよい。そして、発光手段の点滅又は警音手段の断続的な鳴動が開始した後、尿素水量検出手段３２ｂによって検出された尿素水タンク３２内の尿素水量に応じてコントローラ３６が発光手段の点滅間隔を変更し、又は警音手段の鳴動間隔を変更する構成が採用され得る。
【００３４】
又、尿素水タンク３２内の尿素水量が所定量を超えたことが尿素水量検出手段３２ｂによって検出されたときにのみ、コントローラ３６が発光手段を点灯若しくは点滅させ、又は警音手段を連続的に若しくは断続的に鳴動させる構成であってもよい。コントローラについては、１個からなる場合であってもよく、或いは複数個のコントローラが別々の箇所に配設され夫々が電気的に接続されている場合であってもよい。作業灯等の発光手段、ホーン等の警音手段については、各スイッチからコントローラに点灯若しくは消灯又は鳴動させるための信号が出力されたときにコントローラが作業灯等の発光手段、ホーン等の警音手段を点灯若しくは消灯又は鳴動させる構成について説明を行ったが、例えば図５に示すように、ホーン５６がコントローラ３６及びホーンスイッチ５０ａの夫々にリレー６０，６２を介して電気的に接続されていれば、各スイッチがコントローラを介して各機器に接続されていなくてもよい。
【符号の説明】
【００３５】
２：油圧ショベル（建設機械）
２２：ブーム作業灯（発光手段）
２７：蓄電池収容室
２７ａ：蓄電池
２７ｂ：作動表示灯（発光手段）
３２：尿素水タンク
３２ａ：給水口
３２ｂ：尿素水量検出手段
３６：コントローラ
３８：旋回体作業灯（発光手段）
４６：キャブ作業灯（発光手段）
４７：稼働表示灯（発光手段）
５２：表示器
５２ａ：画面
５２ｂ：入力手段
５２ｃ：ブザー（警音手段）
５３：室内灯（発光手段）
５６：ホーン（警音手段）
５８：走行アラーム（警音手段）
【図１】
2016125462.tif 000003
【図２】
2016125462.tif 000004
【図３】
2016125462.tif 000005
【図４】
2016125462.tif 000006
【図５】
2016125462.tif 000007